(57)【要約】【課題】長期間にわたる利用者ごとの使用状況を容易かつ正確に把握する。【解決手段】ゲートＤＢ１５が、ゲートＧＴごとに、当該ゲートＧＴでの入退室可能な許可利用者を示すゲート許可情報を記憶し、履歴記録部１７が、入退室判定部１６における入退室可の判定に応じて、利用者の最新入退室日時を、ゲートＧＴと利用者とに対応付けてゲートＤＢ１５に記録し、使用状況管理部１８が、任意のゲートＧＴに関する使用状況を確認する際、指定されたゲートＧＴの許可利用者に関する最新入退室日時をゲートＤＢ１５から取得し、最新入退室日時に基づいて許可利用者に関するゲートＧＴの使用状況を示す使用状況情報を生成して出力する。【選択図】  図１
2019074832.tif 000002
【特許請求の範囲】
【請求項１】
管理区画に設けられたゲートでの利用者の入退室可否を判定する入退室管理装置であって、
ゲートごとに、当該ゲートでの入退室可能な許可利用者を示すゲート許可情報を記憶するゲートＤＢと、
ゲートのゲート端末での利用者による入退室操作に応じて、ゲート端末から通知された利用者を示す利用者ＩＤと、ゲートＤＢから取得したゲートに関するゲート許可情報とを照合し、得られた照合結果に基づいてゲートでの利用者の入退室可否を判定する入退室判定部と、
入退室判定部における入退室可の判定に応じて、利用者の最新入退室日時を、ゲートと利用者とに対応付けてゲートＤＢに記録する履歴記録部と、
任意のゲートに関する使用状況を確認する際、指定されたゲートの許可利用者に関する最新入退室日時をゲートＤＢから取得し、最新入退室日時に基づいて許可利用者に関するゲートの使用状況を示す使用状況情報を生成して出力する使用状況管理部と
を備えることを特徴とする入退室管理装置。
【請求項２】
請求項１に記載の入退室管理装置において、
使用状況管理部は、最新入退室日時、または、最新入退室日時から確認を行った確認日時までの未使用期間を、許可利用者に関する使用状況情報として生成することを特徴とする入退室管理装置。
【請求項３】
請求項１に記載の入退室管理装置において、
使用状況管理部は、指定された遡及期間と最新入退室日時から確認を行った確認日時までの未使用期間とを比較し、許可利用者のうち未使用期間が遡及期間より長い利用者を非適合者として選択することを特徴とする入退室管理装置。
【請求項４】
請求項１に記載の入退室管理装置において、
使用状況管理部は、ゲートＤＢから取得したゲートのゲート許可情報に登録されている許可利用者のうち、最新入退室日時から求めた許可利用者に関するゲートの未使用期間が、指定された遡及期間より長い利用者を、ゲートＤＢのゲート許可情報から削除することを特徴とする入退室管理装置。
【請求項５】
管理区画に設けられたゲートでの利用者の入退室可否を判定する入退室管理装置で用いられる使用状況管理方法であって、
ゲートＤＢが、ゲートごとに、当該ゲートでの入退室可能な許可利用者を示すゲート許可情報を記憶するステップと、
入退室判定部が、ゲートのゲート端末での利用者による入退室操作に応じて、ゲート端末から通知された利用者を示す利用者ＩＤと、ゲートＤＢから取得したゲートに関するゲート許可情報とを照合し、得られた照合結果に基づいてゲートでの利用者の入退室可否を判定する入退室判定ステップと、
履歴記録部が、入退室判定部における入退室可の判定に応じて、利用者の最新入退室日時を、ゲートと利用者とに対応付けてゲートＤＢに記録する履歴記録ステップと、
使用状況管理部が、任意のゲートに関する使用状況を確認する際、指定されたゲートの許可利用者に関する最新入退室日時をゲートＤＢから取得し、最新入退室日時に基づいて許可利用者に関するゲートの使用状況を示す使用状況情報を生成して出力する使用状況管理ステップと
を備えることを特徴とする使用状況管理方法。
【発明の詳細な説明】
【技術分野】
【０００１】
本発明は、管理区画に設けられたゲートにおける、利用者の入退室を管理する入退室管理技術に関する。
【背景技術】
【０００２】
一般に、施設において特定の管理区画にゲートを設けて利用者の入退室を管理する入退室管理システムでは、利用者のＩＤカードなどの記録媒体に記録されている利用者ＩＤなどの利用者ＩＤを、予め登録されている許可利用者ＩＤと照合し、その照合結果に基づいて入退室可否を判定するものとなっている（例えば、特許文献１など参照）。
【先行技術文献】
【特許文献】
【０００３】
【特許文献１】特開２０１５−０３６４６９号公報
【発明の概要】
【発明が解決しようとする課題】
【０００４】
入退室管理システムにおいて、利用者が入退室できるゲートを不必要に設けて置くことは、セキュリティの観点から好ましいことではない。例えば、ある管理区画で部署移動によりそれまで頻繁に入退室していたゲートがほとんど入退室されなくなった場合、それまでの入退室許可設定に基づく運用で問題なければ、そのまま運用されることがある。したがって、このようなゲートについては、長期間使用していない利用者については、入退室を許可しないなど、入退室許可設定の見直しが必要となる。
【０００５】
しかしながら、このような従来技術では、各入退室判定に関する照合結果を履歴として記録しているが、すべての照合結果を記録するため履歴データ量が膨大となり、各ゲートにおける利用者ごとの使用状況を容易に把握できないという問題点があった。また、履歴データ量の増加に伴うハードウェアコストの増大を抑制するため、保持すべき履歴データ量が制限されており、長期間にわたる利用者ごとの使用状況を正確に把握できないという問題点があった。
【０００６】
本発明はこのような課題を解決するためのものであり、長期間にわたる利用者ごとの使用状況を容易かつ正確に把握できる入退室管理技術を提供することを目的としている。
【課題を解決するための手段】
【０００７】
このような目的を達成するために、本発明にかかる入退室管理装置は、管理区画に設けられたゲートでの利用者の入退室可否を判定する入退室管理装置であって、ゲートごとに、当該ゲートでの入退室可能な許可利用者を示すゲート許可情報を記憶するゲートＤＢと、ゲートのゲート端末での利用者による入退室操作に応じて、ゲート端末から通知された利用者を示す利用者ＩＤと、ゲートＤＢから取得したゲートに関するゲート許可情報とを照合し、得られた照合結果に基づいてゲートでの利用者の入退室可否を判定する入退室判定部と、入退室判定部における入退室可の判定に応じて、利用者の最新入退室日時を、ゲートと利用者とに対応付けてゲートＤＢに記録する履歴記録部と、任意のゲートに関する使用状況を確認する際、指定されたゲートの許可利用者に関する最新入退室日時をゲートＤＢから取得し、最新入退室日時に基づいて許可利用者に関するゲートの使用状況を示す使用状況情報を生成して出力する使用状況管理部とを備えている。
【０００８】
また、本発明にかかる上記入退室管理装置の一構成例は、使用状況管理部が、最新入退室日時、または、最新入退室日時から確認を行った確認日時までの未使用期間を、許可利用者に関する使用状況情報として生成するようにしたものである。
【０００９】
また、本発明にかかる上記入退室管理装置の一構成例は、使用状況管理部が、指定された遡及期間と最新入退室日時から確認を行った確認日時までの未使用期間とを比較し、許可利用者のうち未使用期間が遡及期間より長い利用者を非適合者として選択するようにしたものである。
【００１０】
また、本発明にかかる上記入退室管理装置の一構成例は、使用状況管理部が、ゲートＤＢから取得したゲートのゲート許可情報に登録されている許可利用者のうち、最新入退室日時から求めた許可利用者に関するゲートの未使用期間が、指定された遡及期間より長い利用者を、ゲートＤＢのゲート許可情報から削除するようにしたものである。
【００１１】
また、本発明にかかる使用状況管理方法は、管理区画に設けられたゲートでの利用者の入退室可否を判定する入退室管理装置で用いられる使用状況管理方法であって、ゲートＤＢが、ゲートごとに、当該ゲートでの入退室可能な許可利用者を示すゲート許可情報を記憶するステップと、入退室判定部が、ゲートのゲート端末での利用者による入退室操作に応じて、ゲート端末から通知された利用者を示す利用者ＩＤと、ゲートＤＢから取得したゲートに関するゲート許可情報とを照合し、得られた照合結果に基づいてゲートでの利用者の入退室可否を判定する入退室判定ステップと、履歴記録部が、入退室判定部における入退室可の判定に応じて、利用者の最新入退室日時を、ゲートと利用者とに対応付けてゲートＤＢに記録する履歴記録ステップと、使用状況管理部が、任意のゲートに関する使用状況を確認する際、指定されたゲートの許可利用者に関する最新入退室日時をゲートＤＢから取得し、最新入退室日時に基づいて許可利用者に関するゲートの使用状況を示す使用状況情報を生成して出力する使用状況管理ステップとを備えている。
【発明の効果】
【００１２】
本発明によれば、膨大なデータ量である履歴ＤＢを検索することなく、指定したゲートのみに対応するゲートＤＢのゲート許可情報から、入退室可能な各許可利用者に関する当該ゲートの使用状況を容易かつ正確に把握することが可能となる。したがって、ある管理区画で部署移動によりそれまで頻繁に入退室していたゲートがほとんど入退室されなくなった場合には、長期間使用していない利用者については入退室を許可しないなど、入退室許可設定の見直しを容易に実施することができる。
【図面の簡単な説明】
【００１３】
【図１】入退室管理装置の構成を示すブロック図である。
【図２】ゲートＤＢの構成例である。
【図３】入退室管理装置の動作を示すシーケンス図である。
【図４】使用状況確認画面の画面表示例である。
【発明を実施するための形態】
【００１４】
次に、本発明の一実施の形態について図面を参照して説明する。
［入退室管理装置］
まず、図１を参照して、本実施の形態にかかる入退室管理装置１０について説明する。図１は、入退室管理装置の構成を示すブロック図である。
【００１５】
この入退室管理装置１０は、施設において特定の管理区画にゲートを設けて利用者の入退室を管理する入退室管理システム１で用いられて、施設の管理区画に設けられたゲートＧＴと通信回線Ｌを介してデータ通信を行うことにより、ゲートＧＴにおける利用者の入退室を管理する装置である。
これらゲートＧＴには、利用者が管理区画で出入りするためのドアＤＲと、ドアＤＲの施錠／開錠を入退室管理装置１０から遠隔制御するための電気錠ＥＬと、利用者の入退室操作を検出するためのゲート端末Ｔとが、それぞれ設けられている。
【００１６】
入退室管理装置１０は、全体として産業用コントローラ、サーバ装置、パーソナルコンピュータなどの情報処理装置からなり、図１に示すように、主な機能部として、通信Ｉ／Ｆ部１１、コンソール１２、記憶部１３、履歴ＤＢ１４、ゲートＤＢ１５、入退室判定部１６、履歴記録部１７、および使用状況管理部１８を備えている。これら機能部のうち、入退室判定部１６、履歴記録部１７、および使用状況管理部１８は、ＣＰＵと記憶部１３のプログラムとが協働してなる演算処理部により実現されている。
【００１７】
通信Ｉ／Ｆ部１１は、通信回線Ｌを介して各ゲートＧＴのゲート端末Ｔや電気錠ＥＬとデータ通信を行う機能を有している。
コンソール１２は、入退室管理装置１０を操作するオペレータとのマンマシンインターフェースであり、オペレータ操作を検出するキーボート・マウス・タッチパネルなどの操作入力装置と、操作メニューや任意のゲートに関する使用状況情報などの各種画面を画面表示するモニタ装置とを有している。
【００１８】
記憶部１３は、ハードディスクや半導体メモリなどの記憶装置からなり、入退室判定処理や使用状況管理処理など、入退室管理装置１０での処理動作に用いる各種処理データやプログラムを記憶する機能を有している。
履歴ＤＢ１４は、各ゲートＧＴを利用者が入退室した履歴を記憶するデータベースである。
【００１９】
ゲートＤＢ１５は、各ゲートＧＴで入退室を許可する利用者に関するゲート許可情報を、ゲートごとに記憶するデータベースである。図２は、ゲートＤＢの構成例である。ここでは、任意のゲートＧＴに関するゲート許可情報が示されており、ゲート許可情報には、当該ＧＴで入退室を許可する利用者に固有の許可利用者ＩＤがゲート許可情報として登録されている。また、これら許可利用者ＩＤごとに、当該利用者が当該ＧＴで入退室した最新の入退室日時が登録されている。
【００２０】
入退室判定部１６は、任意のゲートＧＴに設けられたゲート端末Ｔでの利用者による入退室操作に応じて、当該Ｔから通知された利用者を示す利用者ＩＤと、ゲートＤＢ１５から取得した当該ＧＴに関するゲート許可情報とを照合し、得られた照合結果に基づいてゲートでの利用者の入退室可否を判定する機能と、入退室可の判定に応じて、当該ＧＴの電気錠ＥＬに一定期間の開錠を指示する機能とを有している。
【００２１】
履歴記録部１７は、入退室判定部１６での入退室判定処理の実行ごとに、ゲートＧＴ、利用者ＩＤ、判定日時、判定結果など、当該入退室判定に関する履歴情報を履歴ＤＢ１４に登録する機能と、入退室判定部１６における入退室可の判定に応じて、当該ゲートＧＴにおける利用者の最新入退室日時を、当該ＧＴと利用者ＩＤとに対応付けて、ゲートＤＢ１５内の当該ＧＴのゲート許可情報に登録する機能とを有している。
【００２２】
使用状況管理部１８は、コンソール１２から入力されたオペレータからの指示や、通信Ｉ／Ｆ部１１で受信した外部装置（図示せず）からの指示に応じて、任意のゲートＧＴに関する使用状況を確認する際、指定されたゲートＧＴの許可利用者に関する最新入退室日時をゲートＤＢ１５から取得し、最新入退室日時に基づいて許可利用者に関するゲートＧＴの使用状況を示す使用状況情報を生成し、コンソール１２で画面表示し、記憶部１３にファイル出力し、あるいは通信Ｉ／Ｆ部１１から外部装置に出力する機能を有している。
【００２３】
具体的には、使用状況管理部１８は、最新入退室日時、または、最新入退室日時から確認を行った確認日時までの未使用期間を、許可利用者に関する使用状況情報として生成する機能と、指定された遡及期間と最新入退室日時から確認を行った確認日時までの未使用期間とを比較し、許可利用者のうち未使用期間が遡及期間より長い利用者を非適合者として選択する機能とを有している。
【００２４】
さらに、使用状況管理部１８は、ゲートＤＢ１５から取得したゲートＧＴのゲート許可情報に登録されている許可利用者のうち、最新入退室日時から求めた当該許可利用者に関する当該ゲートＧＴの未使用期間が、指定された遡及期間より長い利用者を、ゲートＤＢ１５の当該ゲートＧＴに関するゲート許可情報から削除する機能を有している。
【００２５】
［本実施の形態の動作］
次に、図３を参照して、本実施の形態にかかる入退室管理装置１０の動作について説明する。図３は、入退室管理装置の動作を示すシーケンス図である。
ここでは、コンソール１２で検出されたオペレータ指示に応じて、指定されたゲートＧＴに関する使用状況を画面出力する場合を例として説明する。
【００２６】
任意のゲートＧＴのゲート端末Ｔで利用者による入退室操作、例えば利用者が携帯するＩＤカードをゲート端末Ｔにかざす操作に応じて（ステップ１００）、ＩＤカードに記録されている利用者ＩＤとＧＴを識別するためのゲートＩＤとを含む照合要求が、ゲート端末Ｔから通信回線Ｌを介して入退室管理装置１０へ送信される。
【００２７】
入退室管理装置１０の入退室判定部１６は、通信Ｉ／Ｆ１１を介してゲート端末Ｔからの照合要求を受信した場合、照合要求に含まれるゲートＩＤと対応するゲート許可情報をゲートＤＢ１５から取得し、当該ゲート許可情報に含まれる許可利用者ＩＤと照合要求に含まれる利用者ＩＤと照合する（ステップ１０２）。
【００２８】
ここで、許可利用者ＩＤに利用者ＩＤが含まれており照合が成功した場合（ステップ１０２：ＹＥＳ）、入退室判定部１６は、対応するゲートＧＴの電気錠ＥＬに対して開錠指示を送信する（ステップ１０４）。これにより、ゲートＧＴの電気錠ＥＬが一定期間だけドアＤＲを開錠し（ステップ１０５）、利用者が管理区画で入退室可能となる。
【００２９】
この後、履歴記録部１７は、入退室判定日時を当該ゲートＧＴにおける利用者の最新入退室日時として、ゲートＤＢ１５内の当該ＧＴのゲート許可情報に登録し（ステップ１０６）、当該入退室判定に関する履歴情報を履歴ＤＢ１４に登録する（ステップ１０７）。
【００３０】
また、ステップ１０３において、許可利用者ＩＤに利用者ＩＤが含まれておらず、照合が失敗した場合（ステップ１０２：ＮＯ）、入退室判定部１６は、開錠指示を送信しない。これにより、ゲートＧＴの電気錠ＥＬは開錠されず、利用者は管理区画での入退室が禁止される。
この後、履歴記録部１７は、ステップ１０７に移行して、当該入退室判定に関する履歴情報を履歴ＤＢ１４に登録する（ステップ１０７）。
【００３１】
この後、コンソール１２で任意のゲートＧＴに関する使用状況を確認する、使用状況確認指示が入力された場合（ステップ１１０）、使用状況管理部１８は、指定された対象ゲートＧＴに関するゲート許可情報をゲートＤＢ１５から取得し（ステップ１１１）、当該ゲート許可情報に含まれる許可利用者ごとに、指定された確認条件に適合するか否か適合判定し（ステップ１１２）、得られた確認結果をコンソール１２で画面表示する（ステップ１１３）。
【００３２】
図４は、使用状況確認画面の画面表示例である。ここでは、使用状況確認指示で指定された確認条件において、使用状況を確認する対象ゲートとして「ＧＴ１０１」が指定されており、許容する未使用期間を示す確認日時からの遡及期間として「９０日」以上が指定されている。
したがって、使用状況管理部１８は、対象ゲート「ＧＴ１０１」のゲート許可情報をゲートＤＢ１５から取得し、ゲート許可情報に含まれる許可利用者ごとに、最新入退室日時から確認日時までの未使用期間が、遡及期間「９０日」以内か否かに基づいて、適合／非適合の判定を行う。
【００３３】
例えば、図２のうち、利用者ＩＤ「０００５」の利用者の最新入退室日時が「２０１７−０７−１１  ０９：３５」であるから、図４に示すように、確認日時が「２０１７−０７−１５  １３：２０」である場合、未使用期間は「９６日（＋０３：４５）」となる。したがって、この未使用期間は遡及期間「９０日」を超えているため、確認条件に適合しない非適合利用者として「×」印が付与されている。
【００３４】
一方、図２のうち、利用者ＩＤ「０００７」の利用者の最新入退室日時は「２０１７−０８−０２  １１：４０」であるから、未使用期間は「７４日（＋０１：４０）」となる。したがって、この未使用期間は遡及期間「９０日」以下であるため、確認条件に適合する適合利用者として「○」印が付与されている。
これにより、任意のゲートＧＴにおいて、入退室が許可されている許可利用者のうち、未使用期間が遡及期間より長い利用者を非適合利用者として容易に確認することができる。
【００３５】
また、図４に示すように、使用状況確認画面には、当該ゲートＧＴのゲート許可情報から非適合利用者の削除を指示する「非適合者削除」ボタンと、使用状況確認画面を閉じる「閉じる」ボタンが設けられている。
使用状況管理部１８は、「閉じる」ボタンの操作に応じて、コンソール１２における使用状況確認画面の画面表示を終了する。
【００３６】
また、使用状況管理部１８は、「非適合者削除」ボタンの操作に応じて（ステップ１１４）、当該ゲートＧＴのゲート許可情報から未使用期間が遡及期間より長い許可利用者、すなわち非適合者を選択し、選択した非適合者のエントリをゲートＤＢ１５内の当該ゲートＧＴに関するゲート許可情報から削除する（ステップ１１５）。
【００３７】
これにより、未使用期間が遡及期間より長く、長期間にわたり当該ゲートＧＴを使用していない利用者を、許可利用者から除外することができ、管理区画に対するセキュリティ性を高めることができる。
なお、使用状況管理部１８における非適合者削除処理については、ステップ１１０における使用状況確認指示とは関係なく、コンソール１２や外部装置からの非適合者削除指示に応じて、あるいは定期的に、実行するようにしてもよい。
【００３８】
［本実施の形態の効果］
このように、本実施の形態は、ゲートＤＢ１５が、ゲートＧＴごとに、当該ゲートＧＴでの入退室可能な許可利用者を示すゲート許可情報を記憶し、履歴記録部１７が、入退室判定部１６における入退室可の判定に応じて、利用者の最新入退室日時を、ゲートＧＴと利用者とに対応付けてゲートＤＢ１５に記録し、使用状況管理部１８が、任意のゲートＧＴに関する使用状況を確認する際、指定されたゲートＧＴの許可利用者に関する最新入退室日時をゲートＤＢ１５から取得し、最新入退室日時に基づいて許可利用者に関するゲートＧＴの使用状況を示す使用状況情報を生成して出力するようにしたものである。
【００３９】
より具体的には、使用状況管理部１８が、最新入退室日時、または、最新入退室日時から確認を行った確認日時までの未使用期間を、許可利用者に関する使用状況情報として生成するようにしたものである。
また、使用状況管理部１８が、指定された遡及期間と最新入退室日時から確認を行った確認日時までの未使用期間とを比較し、許可利用者のうち未使用期間が遡及期間より長い利用者を非適合者として選択するようにしたものである。
【００４０】
これにより、膨大なデータ量である履歴ＤＢ１４を検索することなく、指定したゲートＧＴのみに対応するゲートＤＢ１５のゲート許可情報から、入退室可能な各許可利用者に関する当該ゲートＧＴの使用状況を容易かつ正確に把握することが可能となる。
したがって、ある管理区画で部署移動によりそれまで頻繁に入退室していたゲートがほとんど入退室されなくなった場合には、長期間使用していない利用者について入退室を許可しないなど、入退室許可設定の見直しを容易に実施することができる。
【００４１】
また、本実施の形態において、使用状況管理部１８が、ゲートＤＢ１５から取得したゲートＧＴのゲート許可情報に登録されている許可利用者のうち、最新入退室日時から求めた当該許可利用者に関する当該ゲートＧＴの未使用期間が、指定された遡及期間より長い利用者を、ゲートＤＢ１５の当該ゲートＧＴに関するゲート許可情報から削除するようにしてもよい。
これにより、未使用期間が遡及期間より長く、長期間にわたり当該ゲートＧＴを使用していない利用者を、許可利用者から除外することができ、管理区画に対するセキュリティ性を高めることが可能となる。
【００４２】
なお、入退室管理システム１から任意の利用者を削除する場合、コンソール１２や外部装置からの指示に応じて、使用状況管理部１８が、ゲートＤＢ１５内の各ゲート許可情報から、当該利用者に関するエントリを削除するようにしてもよい。
【００４３】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【００４４】
以上では、本発明を、管理区画に対する利用者の入退室を判定する入退室管理装置１０に適用した場合を例として説明したが、これに限定されるものではない。例えば、通信回線Ｌを介して入退室管理装置１０と接続されて、利用者に関するゲートＧＴの使用状況を管理する使用状況管理装置に適用してもよい。
【００４５】
この場合、使用状況管理装置の構成は、前述した入退室管理装置１０から履歴ＤＢ１４と入退室判定部１６を省いた構成となる。
具体的には、ゲートＤＢ１５で、ゲートＧＴごとに、当該ゲートＧＴにおける許可利用者の最新入退室日時を記憶し、履歴記録部１７が、入退室管理装置１０での判定が入退室可を示す場合、当該ゲートＧＴにおける利用者の最新入退室日時をゲートＤＢ１５に記録すればよい。
【００４６】
そして、使用状況管理部１８が、任意のゲートに関する使用状況を確認する際、指定されたゲートの許可利用者に関する最新入退室日時をゲートＤＢ１５から取得し、最新入退室日時に基づいて許可利用者に関するゲートＧＴの使用状況を示す使用状況情報を生成して出力すればよい。
これにより、既存の入退室管理装置１０を新たに交換することなく、前述と同様の作用効果を得ることができる。
【符号の説明】
【００４７】
１０…入退室管理装置、１１…通信Ｉ／Ｆ部、１２…コンソール、１３…記憶部、１４…履歴ＤＢ、１５…ゲートＤＢ、１６…入退室判定部、１７…履歴記録部、１８…使用状況管理部、ＧＴ…ゲート、Ｔ…ゲート端末、ＤＲ…ドア、ＥＬ…電気錠、Ｌ…通信回線。
【図１】
2019074832.tif 000003
【図２】
2019074832.tif 000004
【図３】
2019074832.tif 000005
【図４】
2019074832.tif 000006